(57)【特許請求の範囲】
【請求項１】
エレベーターかご１および乗場２に備えられるかごフレーム２０と乗場フレーム３０との間に位置し、制御手段５０によって制御されるドア駆動用モーター４０の駆動に応じて開閉されるエレベータードア１０の表面に備えられ、制御手段５０によって点灯が制御される多数のドア用ＬＥＤ１１２がドア用プリント基板（ＰＣＢ）１１４の表面に設置されるドア用ＬＥＤ基板１１０と、人体の電流が検出されると、前記制御手段５０によって前記ドア用ＬＥＤ１１２が点灯するように、前記ドア用ＬＥＤ基板１１０の表面に備えられる透明または半透明材質のドア用伝導性部材１２０と、前記かごフレーム２０および乗場フレーム３０の角部の表面に備えられ、多数のフレーム用ＬＥＤ１３２がフレーム用プリント基板（ＰＣＢ）１３４に設置されるフレーム用ＬＥＤ基板１３０と、前記フレーム用ＬＥＤ基板１３０の表面に備えられ、人体の電流を検出するフレーム用伝導性部材１４０とを含んでなり、
前記ドア用伝導性部材１２０は、かごドア１２および乗場ドア１４の下端から５０ｃｍ以上の高さの表面全体に付着し、プラスチック樹脂に通電材料粉末を一定の重量割合で混合した電気伝導性シートであり、
前記ドア用プリント基板（ＰＣＢ）１１４はフレキシブルプリント基板であって、
前記ドア用伝導性部材１２０は、金属性通電素材からなるが、表面に光透過孔１２８、１４８を打孔することにより、前記ドア用ＬＥＤ基板１１０のドア用ＬＥＤ１１２の点灯時に光が透過することで、人体の接触部分が発光し、
更に、ドア用伝導性部材１２０の表面には、警告の文様１２１が備わることを特徴とする、エレベータードアの手挟み込み防止用安全装置。
【請求項２】
エレベーターかご１および乗場２に備えられるかごフレーム２０と乗場フレーム３０との間に位置し、制御手段５０によって制御されるドア駆動用モーター４０の駆動に応じて開閉されるエレベータードア１０の表面に備えられ、制御手段５０によって点灯が制御される多数のドア用ＬＥＤ１１２がドア用プリント基板（ＰＣＢ）１１４の表面に設置されるドア用ＬＥＤ基板１１０と、人体の電流が検出されると、前記制御手段５０によって前記ドア用ＬＥＤ１１２が点灯するように、前記ドア用ＬＥＤ基板１１０の表面に備えられる透明または半透明材質のドア用伝導性部材１２０と、前記かごフレーム２０および乗場フレーム３０の角部の表面に備えられ、多数のフレーム用ＬＥＤ１３２がフレーム用プリント基板（ＰＣＢ）１３４に設置されるフレーム用ＬＥＤ基板１３０と、前記フレーム用ＬＥＤ基板１３０の表面に備えられ、人体の電流を検出するフレーム用伝導性部材１４０とを含んでなり、
前記フレーム用伝導性部材１４０は、プラスチック樹脂に通電材料粉末を混合し、前記フレーム用ＬＥＤ１３２が装着されるＬＥＤ収容溝１４４ａが形成されるように射出成形して製造される伝導性プラスチックパネル１４４からなり、
前記ドア用伝導性部材１２０は、かごドア１２および乗場ドア１４の下端から５０ｃｍ以上の高さの表面全体に付着し、プラスチック樹脂に通電材料粉末を一定の重量割合で混合した電気伝導性シートであり、
前記ドア用伝導性部材１２０は、金属性通電素材からなるが、表面に光透過孔１２８、１４８を打孔することにより、前記ドア用ＬＥＤ基板１１０のドア用ＬＥＤ１１２の点灯時に光が透過することで、人体の接触部分が発光し、
更に、ドア用伝導性部材１２０の表面には、警告の文様１２１が備わることを特徴とする、エレベータードアの手挟み込み防止用安全装置。
【請求項３】
前記ドア用伝導性部材１２０は、プラスチック樹脂に通電材料粉末を一定の重量割合で混合して、前記ドア用ＬＥＤ１１２が装着されるＬＥＤ収容溝１２４ａが形成されるように射出成形して製造される伝導性プラスチックパネル１２４であることを特徴とする、請求項１又は２に記載のエレベータードアの手挟み込み防止用安全装置。
【請求項４】
前記フレーム用ＬＥＤ基板１３０とフレーム用伝導性部材１４０は、カバー体１４７内に一体に固定され、前記カバー体１４７には締結孔１４７ａが形成されることにより、ねじ１４９を用いて、かごフレーム２０および乗場フレーム３０の角部の表面に一体に固定されることを特徴とする、請求項１又は２に記載のエレベータードアの手挟み込み防止用安全装置。
【請求項５】
前記フレーム用ＬＥＤ基板１３０とフレーム用伝導性部材１４０は、カバー体１４７内に一体に固定され、前記かごフレーム２０および乗場フレーム３０の角部の表面に接着剤または接着テープで一体に固定されることを特徴とする、請求項１又は２に記載のエレベータードアの手挟み込み防止用安全装置。
【請求項６】
前記かごフレーム２０には装着溝２１が形成され、前記フレーム用ＬＥＤ基板１３０およびフレーム用伝導性部材１４０が埋め込み設置されることを特徴とする、請求項１又は２に記載のエレベータードアの手挟み込み防止用安全装置。
【請求項７】
前記ドア１０の表面には装着溝１３が形成され、ドア用ＬＥＤ基板１１０およびドア用伝導性部材１２０が埋め込み設置されることを特徴とする、請求項１又は２に記載のエレベータードアの手挟み込み防止用安全装置。
【請求項８】
前記ドア用伝導性部材１２０は、金属性通電素材からなるが、表面に光透過孔１２８が形成され、前記ドア用伝導性部材１２０とドア用ＬＥＤ基板１１０との間には、光拡散材が添加されたシリコーンまたはゴム材質の光拡散層１５０が備えられることを特徴とする、請求項１又は２に記載のエレベータードアの手挟み込み防止用安全装置。
【請求項９】
前記フレーム用伝導性部材１４０は、光透過孔１４８が形成され、前記フレーム用伝導性部材１２０とフレーム用ＬＥＤ基板１１０との間には、光拡散材が添加されたシリコーン材質の光拡散層１５２が備えられることを特徴とする、請求項１又は２に記載のエレベータードアの手挟み込み防止用安全装置。
【請求項１０】
前記ドア用伝導性部材１２０は、前記ドア用ＬＥＤ１１２が装着されるＬＥＤ装着孔１１０ａを有することを特徴とする、請求項１又は２に記載のエレベータードアの手挟み込み防止用安全装置。
【請求項１１】
前記フレーム用伝導性部材１４０は、前記フレーム用ＬＥＤ１３２が装着されるＬＥＤ装着孔１３０ａを有することを特徴とする、請求項１又は２に記載のエレベータードアの手挟み込み防止用安全装置。
【請求項１２】
前記ドア用伝導性部材１２０とドア用ＬＥＤ基板１１０との間には、ドア用ＬＥＤ１１２が装着されるＬＥＤ装着孔１６２を有する非伝導性部材１６０がさらに備えられることを特徴とする、請求項１又は２に記載のエレベータードアの手挟み込み防止用安全装置。
【請求項１３】
前記フレーム用伝導性部材１４０とフレーム用ＬＥＤ基板１３０との間には、フレーム用ＬＥＤ１３２が装着されるＬＥＤ装着孔１７２を有する非伝導性部材１７０がさらに備えられることを特徴とする、請求項１又は２に記載のエレベータードアの手挟み込み防止用安全装置。
【発明の詳細な説明】
【技術分野】
【０００１】
本発明は、エレベータードアの手挟み込み防止用安全装置に係り、さらに具体的には、エレベーターの乗場ドアまたはかごドアの開放中にドアとドアフレームとの間に手が挟まれた場合に傷害を被らないように乗場ドアまたはかごドアの開閉を制御しながら、利用者が視覚的に手挟み込みに対する警覚心を持つことができるようにエレベータードアおよびドアフレームの表面に視覚情報を表示するエレベータードアの指挟み込み防止装置に関する。
【背景技術】
【０００２】
一般に、エレベーターは、内部に乗客が搭乗した状態で建物の内部に垂直方向に形成された昇降路に沿って上下しながら搭乗客を移動させるエレベーターかごと、所定の動力を発生させるモーターおよび巻上機と、乗客のボタン操作に応じて前記モーターおよび巻上機を制御して前記エレベーターかごを該当階に移動させる制御手段などを含んで構成される。
【０００３】
前記エレベーター装置に備えられるエレベーターかごには、選択的に開閉されるかごドアが設けられるとともに、建物の各階の乗場には、前記かごドアと連動して開閉されながら、乗客を該当階に乗り降りすることができるようにする乗場ドアが設けられる。
【０００４】
このとき、乗場ドアの開閉が円滑に行われるように乗場フレームと乗場ドアとの間に隙間が存在し、搭乗者がエレベーターに搭乗するために乗場で待機するときに手を乗場ドアの隙間の周囲に当てている状態で、乗場ドアの開きが認識できず乗場ドアから手を離さなかった場合、乗場ドアと乗場フレームとの間の隙間に手が挟まれて傷害を被るという問題点があった。特に、子供の場合には注意力が足りないので、乗場フレームと乗場ドアとの間に手が挟まれてけがする安全事故のおそれが多かった。
【０００５】
もちろん、このような問題点を解消するために、韓国実用新案公開第２０−２０１０−００１０９３９号（特許文献１）が提示されている。これは、エレベーターの手挟み込み防止装置に関するもので、上部フレーム、左フレームおよび右フレームからなる固定部内にかごドアおよび乗場ドアが設置されて構成されるエレベータードアに搭乗客の手や異物などが挟まれることを防止するための装置において、前記乗場ドアおよびかごドアの外面に対応する前記上部フレームの両端部側の内壁面には下を向いて垂直に検出光を発散する物体反射式センサーからなる上部フレーム左側センサーおよび上部フレーム右側センサーがそれぞれ一対ずつ設置されるとともに、前記乗場ドアおよびかごドアの外面に対応する前記上部フレームの中央の内壁面には下を向いて垂直に検出光を発散する物体反射式センサーからなる一対の上部フレーム中央センサーが設置されて構成されることにより、エレベータードアの開閉動作の際に乗客の手や各種異物などが挟まれることを防止することができる。
【０００６】
ところが、前記実用新案公開は、検出光の検出を介して手や異物を検出する構造であって、例えばドアの開閉に影響を与えない箱や鞄などがドアに接近する場合にも、これを検出してドアの開閉を任意に制御するため、特定の状況における強制的なドアの開閉制御が頻繁になって乗客に不便をかけるうえ、多数のセンサーを上部フレームなどに設置しなければならないので、構造的に複雑な問題を抱えている。
【０００７】
一方、前記実用新案公開の問題点を解決するために、日本特開２００９−５１５７９８号（特許文献２）が提案されている。これは、ドアアセンブリに関するもので、ドアパネルまたはリターンパネルの表面またはエッジ面には電気伝導性フィルムなどからなるセンサーが備えられ、ドアフレーム部材にも同じ構造のセンサーが備えられる。
【０００８】
したがって、ドアパネルまたはリターンパネルの表面またはエッジ面に手が接触して人体の電流が検出されると、ドアパネルまたはリターンパネルの開閉を強制的に制御して、手がエレベータードアとフレームとの間に手が挟まれてけがをすることを防止する。ところが、前記実用新案公開は、単に人体が検出されるとドアを開閉することにより、けがすることは防止することができるが、ドアに直接警告や非常状態などの視覚的情報は提供しないため、エレベーターの灯器具が停電により消灯する場合には、乗客が自分の立っている位置判別が難しくて戸惑うなどの問題がある。
【０００９】
一方、通常のエレベーターは、ドアに寄りかかることを防止し且つ過積載を防止するために、「昇降機施設安全管理法」によって、乗場ドアとかごドアの下端からの１７０〜１８０ｃｍの高さに「触らないで下さい」、「寄りかかると、墜落する危険がある」という注意事項の印刷されたステッカーを貼り付けるように強制している。しかし、このような注意事項ステッカーは、製作の後に、かごドアだけでなく、全階の乗場ドアに貼り付けなければならないので、多くの注意事項ステッカーの貼付にかかる費用が高く、貼り付けられた注意事項ステッカーの紛失や毀損などによるメンテナンスに必要な費用および人力投入による時間が多くかかり、エレベーターの美観も阻害するという問題点もある。
【００１０】
もちろん、このような従来のドアの手挟み込みを防止するための安全装置の問題点を解消するために、本出願人は韓国登録特許第１０−１２３８０６８号（特許文献３）を提案している。これは、エレベータードアの手挟み込み防止用安全装置に関するもので、エレベーターかごおよび乗場に備えられるかごフレームと乗場フレームとの間に位置し、制御手段によって制御されるドア駆動用モーターの駆動に応じて開閉されるエレベータードアの表面に備えられて人体の電流を検出するドア用伝導性導波路シートと、前記ドア用伝導性導波路シートを介して電流が検出されると、人体の微細電流であるか否かを判断する制御手段と、前記ドア用伝導性導波路シートの縁部の一側に設置され、前記制御手段の制御によって点灯して前記ドア用伝導性導波路シートに光を照射する第１ＬＥＤとから構成されることを特徴とする。このような構成によれば、エレベータードアまたは乗場などのフレームの角部分に手接触により人体の電流が検出されると、エレベータードアを強制的に制御してエレベータードアとフレームとの間に手が挟まれてけがをすることを防止すると同時に、伝導性導波路シートに光を照射して利用者に視覚的警覚心も与えることができる。
【００１１】
ところが、このような本出願人の韓国登録特許第１０−１２３８０６８号（特許文献４）は、ドアの表面に伝導性導波路シートを設置して光をドアの表面に照射することができるが、通常、エレベーターは、人が干渉なしで通過し得るようにするためにドアの幅が広く、ドアの側面一側に設置されるＬＥＤの光が十分に反対側まで到達せず、ドアの表面に照射される光の量が少なくて照度が低いため視認性が低いという問題点がある。
【先行技術文献】
【特許文献】
【００１２】
【特許文献１】韓国実用新案公開第２０−２０１０−００１０９３９号
【特許文献２】日本特開２００９−５１５７９８号
【特許文献３】韓国登録特許第１０−１２３８０６８号
【特許文献４】韓国登録特許第１０−１２３８０６８号
【発明の概要】
【発明が解決しようとする課題】
【００１３】
そこで、本発明は、かかる問題点を解決するためのもので、その目的は、ドアおよびドアフレームの表面に付着し、人体を検出する伝導性部材の後面で点灯して光を前記伝導性部材に直接照射して視認性を高めることにより、エレベーター利用者の手がドアとドアフレームとの間に挟まれてけがをすることを防止することができる、エレベータードアの手挟み込み防止用安全装置を提供することにある。
【課題を解決するための手段】
【００１４】
このような技術的課題を解決するために、本発明は、エレベーターかごおよび乗場に備えられるかごフレームと乗場フレームとの間に位置し、制御手段によって制御されるドア駆動用モーターの駆動に応じて開閉されるエレベータードアの表面に備えられ、制御手段によって点灯が制御される多数のドア用ＬＥＤがドア用プリント基板（ＰＣＢ）の表面に設置されるドア用ＬＥＤ基板と、人体の電流が検出されると、前記制御手段によって前記ドア用ＬＥＤが点灯するように、前記ドア用ＬＥＤ基板の表面に備えられる透明または半透明材質のドア用伝導性部材とを含んでなることを特徴とする、エレベータードアの手挟み込み防止用安全装置を提供する。
【００１５】
このとき、前記ドア用伝導性部材は、かごドアと乗場ドアの表面に付着し、プラスチック樹脂に通電材料粉末を一定の重量割合で混合した電気伝導性シートであり、前記ドア用プリント基板（ＰＣＢ）はフレキシブルプリント基板であることを特徴とする。
【００１６】
前記ドア用伝導性部材は、プラスチック樹脂に通電材料粉末を一定の重量割合で混合し、前記ドア用ＬＥＤが装着されるＬＥＤ収容溝が形成されるように射出成形して製造される伝導性プラスチックパネルであることを特徴とする。
【００１７】
また、前記ドア用伝導性部材は、ドア用ＬＥＤが装着されるＬＥＤ収容溝が形成されるようにプラスチック樹脂を射出成形して製造される非伝導性プラスチックパネルの表面に伝導層を形成してなることを特徴とする。
【００１８】
また、前記ドア用伝導性部材は、金属性の通電素材からなるが、表面に光透過孔を打孔して前記ドア用ＬＥＤ基板のドア用ＬＥＤの点灯時に光が透過することを特徴とする。
【００１９】
前記かごフレームおよび乗場フレームの角部の表面に、多数のフレーム用ＬＥＤがフレーム用プリント基板（ＰＣＢ）に設置されるフレーム用ＬＥＤ基板が備えられ、前記フレーム用ＬＥＤ基板の表面には、人体の電流を検出するフレーム用伝導性部材がさらに備えられることを特徴とする。
【００２０】
この際、前記フレーム用伝導性部材は、プラスチック樹脂に通電材料粉末を混合して、前記フレーム用ＬＥＤが装着されるＬＥＤ収容溝が形成されるように射出成形して製造される伝導性プラスチックパネルからなることを特徴とする。
【００２１】
前記フレーム用伝導性部材は、前記フレーム用ＬＥＤが装着されるＬＥＤ収容溝を有するように射出成形される非伝導性プラスチックパネルの表面に伝導層を形成してなることを特徴とする。
【００２２】
また、前記フレーム用ＬＥＤ基板とフレーム用伝導性部材はカバー体内に一体に固定され、前記カバー体には締結孔が形成されてネジでかごフレームおよび乗場フレームの角部の表面に一体に固定されるか、或いは接着剤または接着テープで一体に固定されることを特徴とする。
【００２３】
また、前記ドア、かごフレームおよび乗場フレームには装着溝が形成され、前記フレーム用ＬＥＤ基板およびフレーム用伝導性部材と、ドア用ＬＥＤ基板およびドア用伝導性部材がそれぞれ埋め込み設置されることを特徴とする。
【００２４】
また、前記ドア用伝導性部材は、金属性の通電素材からなるが、表面に光透過孔が形成され、前記ドア用伝導性部材とドア用ＬＥＤ基板との間には光拡散材が添加されたシリコーン材質の光拡散層が備えられ、前記フレーム用伝導性部材は、光透過孔が形成され、前記フレーム用伝導性部材とフレーム用ＬＥＤ基板との間には光拡散材が添加されたシリコーンまたはゴム材質の光拡散層が備えられることを特徴とする。
【００２５】
また、前記ドア用伝導性部材は、前記ドア用ＬＥＤが装着されるＬＥＤ装着孔を有し、前記フレーム用伝導性部材は、前記フレーム用ＬＥＤが装着されるＬＥＤ装着孔を有することを特徴とする。
【００２６】
また、前記ドア用伝導性部材とドア用ＬＥＤ基板との間には、ドア用ＬＥＤが装着されるＬＥＤ装着孔を有する非伝導性部材がさらに備えられ、前記フレーム用伝導性部材とフレーム用ＬＥＤ基板との間には、フレーム用ＬＥＤが定着されるＬＥＤ装着孔を有する非伝導性部材がさらに備えられることを特徴とする。
【発明の効果】
【００２７】
本発明によれば、伝導性部材をエレベータードアおよびドアフレームの表面に付着させ、手が触れて人体の電流が検出されると、エレベータードアを強制的に制御することにより、エレベータードアとフレームとの間に手が挟まれてけがをすることを防止するとともに、ドアの表面に光を直接照射して照度を高め、利用者の手がドアの表面に接触したことを視覚的に鮮明に表示することにより、利用者が手挟み込みに対する警覚心をより確実に認知することができる。
【図面の簡単な説明】
【００２８】
【図１】本発明に係るエレベータードアの手挟み込み防止用安全装置を説明するために示す乗場側の斜視図である。
【図２】本発明に係るエレベータードアの手挟み込み防止用安全装置を説明するために示すエレベーターかごの内部を示す斜視図である。
【図３】本発明に係るエレベータードアの手挟み込み防止用安全装置を説明するために示すエレベーターの断面図である。
【図４】本発明に係るエレベータードアの手挟み込み防止のための制御ブロック図である。
【図５】本発明に係るエレベータードアの手挟み込み防止用安全装置を示す断面図である。
【図６】本発明の他の実施例に係るエレベータードアの手挟み込み防止用安全装置を示す図である。
【図７】本発明の別の実施例に係るエレベータードアの手挟み込み防止用安全装置を示す断面図である。
【図８】本発明の別の実施例に係るエレベータードアの手挟み込み防止用安全装置を示す断面図である。
【図９】本発明の別の実施例に係るエレベータードアの手挟み込み防止用安全装置を説明するために示す図である。
【図１０】本発明の別の実施例に係るエレベータードアの手挟み込み防止用安全装置を示す断面図である。
【図１１】本発明の別の実施例に係るエレベータードアの手挟み込み防止用安全装置を示す断面図である。
【発明を実施するための形態】
【００２９】
以下、 添付図面に基づいて、本発明に係るエレベータードアの手挟み込み防止用安全装置を詳細に説明する。
図１〜図５は本発明の一実施例に係るエレベータードアの手挟み込み防止用安全装置を説明するために示す図である。
【００３０】
これらの図によれば、建物内には乗客が上下に容易に移動できるようにエレベーター装置が設置され、建物の各階の乗場およびエレベーターかご１には乗客の乗り降りのためのエレベータードア１０が設置される。
【００３１】
このようなエレベータードア１０は、エレベーターかご１に設置されるかごドア１２と、前記かごドア１２に連動して開閉されるように各階の乗場２の昇降口に設置される乗場ドア１４とから構成される。
【００３２】
この際、前記かごドア１２および乗場ドア１４は、それぞれ乗場２およびエレベーターかご１の内部に備えられるドアフレームであるかごフレーム２０と乗場フレーム３０との間に位置し、ドア駆動用モーター４０の駆動に応じて開閉される。
もちろん、前記ドア駆動用モーター４０は制御手段５０の制御に基づいて開閉が制御される。
このようなエレベーター装置には、本発明に係るドアの手挟み込み防止用安全装置が備えられる。
【００３３】
本発明に係る手挟み込み防止用安全装置は、エレベータードア１０の表面に備えられ、多数のドア用ＬＥＤ１１２がドア用プリント基板（ＰＣＢ）１１４の表面に設置されるドア用ＬＥＤ基板１１０と、前記ドア用ＬＥＤ基板１１０の表面に備えられ、人体の電流を検出するドア用伝導性部材１２０とを含んでなり、前記ドア用伝導性部材１２０を介して人体の電流が検出されて検出信号が入力されると、制御手段５０は、前記ドア用伝導性部材１２０に光を照射するように前記ドア用ＬＥＤ１１２を制御して点灯させる。
【００３４】
このとき、エレベータードア１０の表面にドア用ＬＥＤ基板１１０とドア用伝導性部材１２０が順次付着してもよく、前記ドア用ＬＥＤ基板１１０とドア用伝導性部材１２０を一体に結合した状態で前記エレベータードア１０の表面に付着してもよい。
【００３５】
前記ドア用ＬＥＤ基板１１０は、多数のドア用ＬＥＤ１１２がドア用プリント基板（ＰＣＢ）１１４の表面に設置され、前記ドア用ＬＥＤ１１２が点灯すると、前記ドア用伝導性部材１２０へ光を照射するもので、前記ドア用プリント回路基板１１４は、フレキシブルプリント基板（ＦＰＣＢ）からなり、ドア１０の表面に接着剤などを用いて付着することが好ましい。
【００３６】
前記ドア用伝導性部材１２０は、かごドア１２および乗場ドア１４の表面に付着し、ＰＰ、ＰＣ、ＰＥ、ＰＥＴ、ＰＩ、ＰＵ、ＡＢＳ、ＰＶＣなどのプラスチック（合成樹脂）材質で製造される透明または半透明のフィルムから構成されるもので、プラスチック樹脂に通電材料たるカーボンまたは金属性粉末を一定の重量割合で混合した電気伝導性シートである。
もちろん、前記ドア用伝導性部材１２０は、伝導性塗料を前記ドア用ＬＥＤ基板１１０の表面に塗布して形成することも可能である。
【００３７】
特に、前記ドア用伝導性部材１２０の表面には数字、文字、図形、記号、模様などの様々な文様１２１が形成できる。一例として、前記ドア用伝導性部材１１０は、ドア１０に必須的に付着しなければならない警告ステッカーなどを代替することができるため、エレベーターの美観低下を防止し、エレベーターかご内部のインテリア的な効果を出すことができる多様な文様などの視覚的情報をエレベーター利用者に提供することができる。
【００３８】
一方、このような前記ドア用ＬＥＤ基板１１０のドア用ＬＥＤ１１２が点灯すると、エレベーターが停電によりかご内部の灯器具が消灯する場合でも、乗客がドア１０の位置などを容易に判別することができる。このようなドア用ＬＥＤ１１２は、平常時は人体が検出された場合に商用電源６０によって点灯するが、電源供給が遮断される非常時は商用電源６０によって充電されるバッテリー６２の電源供給を受けて点灯する。
【００３９】
このとき、前記ドア用伝導性部材１２０には、「手を触れないでください」、「寄りかかると、墜落する危険がある」ことを知らせる注意事項１２３を様々な色で印刷して、実際の注意事項ステッカーに近似する色が演出されるようにする。
【００４０】
この場合、商用電源６０の供給有無を検出するための電流検出部（図示せず）を備え、制御手段５０は、持続的に商用電源６０の供給有無を監視し、商用電源６０の供給が遮断されると、ドア用ＬＥＤ１１２を点灯させるように制御する。
前記ドア用伝導性部材１２０は、エレベータードア１０のかごドア１２および乗場ドア１４の下端からの５０ｃｍ以上の高さに付着することが好ましい。
【００４１】
一方、前記かごフレーム２０および乗場フレーム３０の角部の表面に、多数のフレーム用ＬＥＤ１３２がフレーム用プリント基板（ＰＣＢ）１３４に設置されるフレーム用ＬＥＤ基板１３０が備えられ、前記フレーム用ＬＥＤ基板１３０の表面には、人体の電流を検出するフレーム用伝導性部材１４０がさらに備えられる。
【００４２】
このとき、前記フレーム用ＬＥＤ基板１３０は前記ドア用ＬＥＤ基板１１０と同様の構造であり、前記フレーム用伝導性部材１４０は前記ドア用伝導性部材１２０と同様の構造である。
【００４３】
このようなドア用ＬＥＤ基板１１０およびドア用伝導性部材１２０と、フレーム用ＬＥＤ基板１３０およびフレーム用伝導性部材１４０は、ドア１０またはフレーム２０、３０の角部に付着でき、従来のエレベーターを新たに交換しなくても簡単に施工できる。
【００４４】
以上のドア用伝導性部材１１０とフレーム用伝導性部材１３０から電流が検出されると、制御手段５０で人体の微細電流であるか否かを判断してドア駆動用モーター４０を制御すると同時に、エレベーター利用者が認知し得るようにドア用およびフレーム用ＬＥＤ１１２、１３２を点灯させる。これにより、前記ドア用伝導性部材１１０およびフレーム用伝導性部材１３０の表面に光が透過してドア１０とかごフレーム２０と乗場フレーム３０に一定の視覚的な情報を表示する。
【００４５】
つまり、前記制御手段５０は、ドア駆動用モーター４０を駆動してエレベータードア１０を開放する過程において、前記ドア用伝導性部材１１０またはフレーム用伝導性部材１３０から電流が検出されると、ドア駆動用モーター４０の駆動を一定の時間（例えば、１〜２秒）停止し、正常的にエレベータードア１０を開放するようにドア駆動用モーター４０の駆動を制御し、エレベータードア１０を閉じる過程で電流が検出されると、ドア駆動用モーター４０を駆動してエレベータードア１０を開放した後、一定の時間（例えば、１〜２秒）開放状態を維持し、しかる後に、再度正常的に閉じられるようにドア駆動用モーター４０の駆動を制御し、人体が検出された場合にドア用およびフレーム用ＬＥＤ１１２、１３２を点灯させて利用者に視覚的な警告をする。
【００４６】
一方、前記エレベータードア１０の表面には、ＬＣＤなどのディスプレイパネル１５０が埋め込み設置される。特に、前記ディスプレイパネル１５０は、エレベーター利用者に有用な広告や広報映像、ニュース、天気などの生活情報を表示することができるように設置されるもので、かごドア１２に設置される。このようなディスプレイパネル１５０は、エレベータードア１０の表面に固定溝１１を形成してディスプレイパネル１５０を埋め込み、固定ブラケット１５２を用いて一体に固定される。
【００４７】
前記かごフレーム２０および乗場フレーム３０の一側にはスピーカー７０を備え、ドア用伝導性部材１１０とフレーム用伝導性部材１３０から電流が検出されると、前記制御手段５０は、スピーカー７０を制御して警告音を出力することが好ましい。このとき、前記制御手段５０に警告案内メントが格納されるメモリ部（図示せず）をさらに備えることにより、例えば「ドアに手を触れないでください！」という警告案内を音声で出力することができる。
【００４８】
また、図６は本発明の別の実施例を示す図である。図６を参照すると、ドア１０の表面には装着溝１３を形成してドア用ＬＥＤ基板１１０およびドア用伝導性部材１２０が装着され、ドア用伝導性部材１２０の表面の高さとドア１０の表面の高さとを同一にしてドア１０の開閉作動時にかごフレーム２０と乗場フレーム３０との干渉を防止することができる。
【００４９】
かごフレーム２０にも装着溝２１が形成され、フレーム用ＬＥＤ基板１３０およびフレーム用伝導性部材１４０を埋め込み設置する。もちろん、乗場フレーム３０にも装着溝（図示せず）が形成され、フレーム用ＬＥＤ基板１３０およびフレーム用伝導性部材１４０を埋め込み設置する。
【００５０】
一方、図７は本発明の別の実施例を示す図である。図７を参照すると、多数のドア用ＬＥＤ１１２がドア用プリント基板（ＰＣＢ）１１４に設置されるドア用ＬＥＤ基板１１０の表面に備えられ、人体の電流を検出するドア用伝導性部材１２０は、プラスチック（合成樹脂）材質に通電材料たるカーボンまたは金属性粉末を一定の重量割合で混合して、前記ドア用ＬＥＤ１１２が装着されるＬＥＤ収容溝１２４ａが形成されるように射出成形して製造される伝導性プラスチックパネル１２４からなる。このとき、伝導性プラスチックパネル１２４は、透明または半透明のアクリル樹脂と通電材料たるカーボンまたは金属性粉末とを混合して製作される。
【００５１】
このような伝導性プラスチックパネル１２４は、ドア用プリント基板１１０に接着剤を用いて一体に結合する。この場合、前記ドア用プリント基板（ＰＣＢ）１１４は、フレキシブルプリント基板を使用せず、一般ＰＣＢを使用することが好ましい。
【００５２】
勿論、多数のフレーム用ＬＥＤ１３２がフレーム用プリント基板（ＰＣＢ）１３４に設置されるフレーム用ＬＥＤ基板１３０の表面に備えられ、人体の電流を検出するフレーム用伝導性部材１４０も、プラスチック（合成樹脂）材質に通電材料たるカーボンまたは金属性粉末を一定の重量割合で混合して、前記フレーム用ＬＥＤ１３２が装着されるＬＥＤ収容溝１４４ａが形成されるように射出成形して製造される伝導性プラスチックパネル１４４からなる。  
【００５３】
また、図８は本発明の別の実施例を示す図である。図８を参照すると、ドア用伝導性部材１２０は、ドア用ＬＥＤ１２２が装着されるＬＥＤ収容溝１２５ａが形成されるようにプラスチック樹脂を射出成形して製造される非伝導性プラスチックパネル１２５の表面に伝導層１２６を形成してなる。
【００５４】
この際、前記伝導層１２６は、ＰＰ、ＰＣ、ＰＥ、ＰＥＴ、ＰＩ、ＰＵ、ＡＢＳ、ＰＶＣなどのプラスチック（合成樹脂）材質で製造される透明または半透明のフィルムからなるもので、プラスチック樹脂に通電材料たるカーボンまたは金属性粉末を一定の重量割合で混合した電気伝導性フィルムからなり、前記非伝導性プラスチックパネル１２５の表面に一体に付着する。
【００５５】
フレーム用ＬＥＤ基板１３０の表面に備えられて人体の電流を検出するフレーム用伝導性部材１４０も、フレーム用ＬＥＤ１３２が装着されるＬＥＤ収容溝１４５ａが形成されるように射出成形して製造される非伝導性プラスチックパネル１４５の表面に伝導層１４６を形成してなる。
【００５６】
もちろん、前記伝導層１２６、１４６は、電気めっき、化学めっき、導電性インクの塗布、蒸着などの方式で非伝導性プラスチックパネル１２５、１４５の表面に形成することも好ましい。
【００５７】
図９は本発明の別の実施例を示す図である。図９を参照すると、ドア用伝導性部材１２０は、四角形状をし、碁盤状に配置されて製作できる。このとき、隣接するドア用伝導性部材１２０、１２０’の間には電流が流れることができるように配線がなされることが好ましい。
【００５８】
もちろん、前記ドア用伝導性部材１２０は、別途示していないが、四角形以外にも円形、三角形、菱形、六角形などの様々な形状に製作され、ドアまたはフレームに付着してもよい。このようにドア用伝導性部材１２０の形状を様々に形成することにより、デザイン的な効果も期待することができる。
【００５９】
フレーム用ＬＥＤ基板１３０とフレーム用伝導性部材１４０は、金属またはプラスチック材質のカバー体１４７内に一体に固定され、前記カバー体１４７に締結孔１４７ａが形成されることにより、ねじ１４９を用いてかごフレーム２０および乗場フレーム３０のドア隣接位置の角部の表面に一体に固定する。この場合、カバー体１４７はかごフレーム２０および乗場フレーム３０の表面に密着させた状態でネジ１４９によって固定する。もちろん、前記カバー体１４７は接着剤や接着テープなどで付着固定することもできる。
【００６０】
また、図１０は本発明の別の実施例を示す図である。図１０を参照すると、ドア用伝導性部材１２０とフレーム用伝導性部材１４０は、人体の微細な電流が流れることが可能な電気伝導性に優れる銅、アルミニウム、カーボンなどの金属材または非鉄金属材からなる通電素材で形成するが、表面に様々な形状および大きさの光透過孔１２８、１４８を打孔してドア用ＬＥＤ基板１１０とフレーム用ＬＥＤ基板１３０のドア用ＬＥＤ１１２およびフレーム用ＬＥＤ１３２の点灯時に光が透過孔１２８、１４８を介して透過するようにする。このとき、前記光透過孔１２８、１４８は数字、文字、図形、記号、模様などの様々な形状および大きさに打孔できる。
【００６１】
一方、図１１の（ａ）〜（ｃ）は本発明の別の実施例を示す図である。図１１の（ａ）によれば、光透過孔１２８が形成されたドア用伝導性部材１２０とドア用ＬＥＤ基板１１０との間には光拡散材が添加されたシリコーンまたはゴム材質の光拡散層１５０が備えられ、光透過孔１４８が形成されたフレーム用伝導性部材１４０とフレーム用ＬＥＤ基板１３０  との間には光拡散材が添加されたシリコーンまたはゴム材質の光拡散層１５２が備えられる。
【００６２】
このような光拡散層１５０、１５２によってドア用ＬＥＤ１１２とフレーム用ＬＥＤ１３２の点灯による光が光拡散層１５０、１５２を通過しながら拡散して光透過孔１２８、１４８に透過して高級感のある雰囲気を演出することができる。
【００６３】
また、図１１の（ｂ）によれば、ドア用ＬＥＤ基板１１０およびフレーム用ＬＥＤ基板１３０の表面には、ドア用ＬＥＤ１１２とフレーム用ＬＥＤ１３２が装着されるＬＥＤ装着孔１１０ａ、１３０ａを有するドア用伝導性部材１２０とフレーム用伝導性部材１４０が密着し、図１１の（ｃ）によれば、ドア用ＬＥＤ基板１１０およびフレーム用ＬＥＤ基板１３０の表面には、ドア用ＬＥＤ１１２とフレーム用ＬＥＤ１３２が装着されるＬＥＤ装着孔１６２、１７２を有する非伝導性部材１６０、１７０が密着する。すなわち、ドア用伝導性部材１２０とドア用ＬＥＤ基板１１０との間には非伝導性部材１６０がさらに備えられ、フレーム用伝導性部材１４０とフレーム用ＬＥＤ基板１３０との間には非伝導性部材１７０がさらに備えられる。
このとき、前記非伝導性部材１６０、１７０は、木材、ガラス、大理石などの様々な材質で製作できるため、様々な雰囲気の演出が可能である。
以上のように本発明の実施例について詳細に説明したが、本発明の権利範囲は、これに限定されず、本発明の実施例と実質的に均等の範囲にあるものまで含む。
【産業上の利用可能性】
【００６４】
本発明は、エレベーターの乗場ドアまたはかごドアの開放中にドアとドアフレームとの間に手が挟まれる場合に傷害を被らないように乗場ドアまたはかごドアの開閉を制御しながら、利用者が視覚的に手挟み込みに対する警覚心を持つことができるようにエレベータードアおよびドアフレームの表面に視覚情報を表示するエレベータードアの指挟み込み防止装置を提供する。
【図１】
0006480415.tif 000002
【図２】
0006480415.tif 000003
【図３】
0006480415.tif 000004
【図４】
0006480415.tif 000005
【図５】
0006480415.tif 000006
【図６】
0006480415.tif 000007
【図７】
0006480415.tif 000008
【図８】
0006480415.tif 000009
【図９】
0006480415.tif 000010
【図１０】
0006480415.tif 000011
【図１１】
0006480415.tif 000012